(57)【要約】【課題】装着取り外しの容易性【解決手段】留め具は、ロータ１４と、ロータ１４を紐状装身具が巻き取られる方向に付勢するバネと、側面に設けられたガイド溝１６と、溝１６に嵌合する突起２２が設けらた案内片２０とを備えている。ガイド溝１６は、内周，外周ガイド溝３０，３２と、ストッパ溝３４と、第１連絡溝３６と、第２連絡溝３８とを備えている。ガイド溝３２に突起２２が嵌合している状態では、引張ることにより、バネの付勢力に抗して、巻き出されて拡大リング径となり、その後、引張状態を解除すると、ロータ１４が巻取り方向に回転し、この回転に伴って、突起２２がストッパ溝３４に嵌合して、拡大リング径よりも小さい縮小リング径となり、この後に紐状装身具を所定量引張って開放すると、突起２２が内周ガイド溝３０に嵌合することで、ロータ１４が巻取り方向に回転して、紐状装身具が初期リング径となる。【選択図】図６
2008093006.tif 000002
【特許請求の範囲】
【請求項１】
ネックレスやブレスレットなどの紐状装身具をリング状に連結する留め具において、
ケーシングに回転自在に支持され、前記紐状装身具が端面に巻き付けられるロータと、
前記ロータを前記紐状装身具が巻き取られる方向に付勢するバネと、
前記ロータが前記ケーシングと対向する側面に設けられたガイド溝と、
一端側が前記ケーシングの内面に支持され、他端側に前記ガイド溝に嵌合する突起が設けられ、前記ガイド溝が設けられた前記ロータの側面に沿って揺動移動する案内片とを備え、
前記ガイド溝は、前記ロータの回転中心に対して、概略同心円状に形成された内周および外周ガイド溝と、前記内周および外周溝間に設けられたストッパ溝と、前記外周ガイド溝と前記ストッパ溝との間を繋ぐ第１連絡溝と、前記ストッパ溝と前記内周ガイド溝との間を繋ぐ第２連絡溝とを備え、
前記外周ガイド溝に前記突起が嵌合している状態では、前記ロータに巻き付けられている前記紐状装身具は、引張ることにより、前記バネの付勢力に抗して、巻き出されて拡大リング径となり、
その後、引張状態を解除すると、前記バネの付勢力より、前記ロータが巻取り方向に回転し、この回転に伴って、前記突起が前記ストッパ溝に嵌合して、巻取りが一次的に停止されて、前記紐状装身具が巻き取られて、前記拡大リング径よりも小さい縮小リング径となり、
この後に前記紐状装身具を所定量引張って開放すると、前記突起が前記内周ガイド溝に嵌合することで、前記バネの付勢力が消失するまで、前記ロータが巻取り方向に回転して、前記紐状装身具が初期リング径となることを特徴とする紐状装身具の留め具。
【請求項２】
前記ガイド溝は、前記ロータの側面を複数に等角度分割して、回転対称に配置して、
前記内周および外周ガイド溝を環状に形成することを特徴とする請求項１記載の紐状装身具の留め具。
【請求項３】
前記ストッパ溝は、前記ロータの側面に回転対称に複数設けられ、前記突起がこれに嵌合する一次停止状態が複数設けられることを特徴とする請求項２記載の紐状装身具の留め具。
【発明の詳細な説明】
【技術分野】
【０００１】
本発明は、ネックレスなどの紐状装身具の留め具に関するものであり、特に、これらの装身具を装着する際の容易性を改善する技術に関するものである。
【背景技術】
【０００２】
ネックレス用の留め具としては、ネックレスの一端に取り付けられる引き輪と、ネックレスの他端側に取り付けられ、引き輪が嵌合されるプレートとの組合わせがよく知られている。
【０００３】
このような構成の留め具では、引き輪にスプリング付勢された円弧状のスライド部が設けられていて、このスライド部をスプリングの不勢力に抗して移動させると、引き輪の一端が開口し、この開口内にプレートに設けられた孔を挿入して、スライド部を開放すると、スプリングの不勢力で開口が閉塞して、ネックレスが輪状になって、首などに装着することができる。
【０００４】
しかし、このような構造の留め具は、引き輪の径が小径なこともあって、操作が非常にやり難いという課題があった。そこで、特許文献１には、このような課題を解決する留め具が提案されている。
【０００５】
特許文献１に開示されている留め具は、図９に示すように、ネックレスＮの端部にそれぞれ連結される第１および第２連結具１，２を備えている。第１連結部材１は、第２の連結部材２が挿入される挿通孔３が設けられている。第２連結部材２は、一端に開口４が設けられたフック状のものであって、開口４は、スプリング５により付勢された開閉部材６により閉塞されている。
【０００６】
また、閉塞部材６は、ピン７により揺動自在に支持されるとともに、スプリング５を圧縮して、図９の右方向に直線移動可能に構成されている。このような構成の留め具では、図１０に示すように、第１連結部材１の挿通孔３側を、第２連結部材２の開口４に臨ませて、矢印Ａ方向に押付けると、閉塞部材６がピン７を中心として、Ａ方向に回動して、開口４が開放されて、第１連結部２と挿通孔３の内部に第２の連結部材２の先端が挿入して、連結部材１，２同士の連結が行われて、ネックレスＮがリング状になり、首への装着が可能になる。
【０００７】
一方、装着状態からネックレスＮを取外す際には、図１１に示すように、第１連結部材１を開閉部材６に押付けて、スプリング５を圧縮するようにして、矢印Ｄ方向に移動させる。この操作により、第２連結部材２の開口４が開放されるので、第１連結部材１の挿通孔３を開口４から離脱させることで、ネックレスＮのリングが解消されて、首から取外せる。
【０００８】
しかしながら、このような従来の留め具には、以下に説明する課題があった。
【０００９】
【特許文献１】特開２００６−１３００２０公報
【発明の開示】
【発明が解決しようとする課題】
【００１０】
すなわち、特許文献１に開示されている上述した留め具では、旧来の引き輪とプレートとの組合わせよりも着脱操作が若干改善させるものの、依然として着脱操作が面倒であり、しかも、リングの大きさを変更したい場合に、これに簡単に対応することができなかった。
【００１１】
本発明は、このような従来の問題点に鑑みてなされたものであって、その目的とするところは、着脱操作が非常に簡単に行え、かつ、装着する際のリング径も変更することができる紐状装身具の留め具を提供することにある。
【課題を解決するための手段】
【００１２】
上記目的を達成するために、本発明は、ネックレスやブレスレットなどの紐状装身具をリング状に連結する留め具において、ケーシングに回転自在に支持され、前記紐状装身具が端面に巻き付けられるロータと、前記ロータを前記紐状装身具が巻き取られる方向に付勢するバネと、前記ロータが前記ケーシングと対向する側面に設けられたガイド溝と、一端側が前記ケーシングの内面に支持され、他端側に前記ガイド溝に嵌合する突起が設けられ、前記ガイド溝が設けられた前記ロータの側面に沿って揺動移動する案内片とを備え、前記ガイド溝は、前記ロータの回転中心に対して、概略同心円状に形成された内周および外周ガイド溝と、前記内周および外周溝間に設けられたストッパ溝と、前記外周ガイド溝と前記ストッパ溝との間を繋ぐ第１連絡溝と、前記ストッパ溝と前記内周ガイド溝との間を繋ぐ第２連絡溝とを備え、前記外周ガイド溝に前記突起が嵌合している状態では、前記ロータに巻き付けられている前記紐状装身具は、引張ることにより、前記バネの付勢力に抗して、巻き出されて拡大リング径となり、その後、引張状態を解除すると、前記バネの付勢力より、前記ロータが巻取り方向に回転し、この回転に伴って、前記突起が前記ストッパ溝に嵌合して、巻取りが一次的に停止されて、前記紐状装身具が巻き取られた分だけ前記拡大リング径よりも小さい縮小リング径となり、この後に前記紐状装身具を所定量引張って開放すると、前記突起が前記内周ガイド溝に嵌合することで、前記バネの付勢力が消失するまで、前記ロータが巻取り方向に回転して、前記紐状装身具が初期リング径となるようにした。
【００１３】
このように構成した留め具によれば、外周ガイド溝に突起が嵌合している状態では、ロータに巻き付けられている紐状装身具は、引張ることにより、バネの付勢力に抗して、巻き出されて拡大リング径となので、ネックレスであれば、頭部への挿通が、また、ブレスレットであれば、手部の挿通が可能になる。
【００１４】
また、その後、引張状態を解除すると、バネの付勢力より、ロータが巻取り方向に回転し、この回転に伴って、突起が前記ストッパ溝に嵌合して、巻取りが一次的に停止されて、紐状装身具が巻き取られた分だけ拡大リング径よりも小さい縮小リング径となるので、リング径の調整が可能になる。
【００１５】
さらに、この後に紐状装身具を所定量引張って開放すると、突起が内周ガイド溝に嵌合することで、バネの付勢力が消失するまで、ロータが巻取り方向に回転して、紐状装身具が初期リング径となるので、これにより装身具の装着が完了する。
【００１６】
以上のことから本発明の留め具では、紐状装身具の引張開放操作だけで、リング径が変化して、首や手などへの装着が可能になり、しかも、紐状装身具の引張開放操作だけで、リング径も変化させることもできる。
【００１７】
前記ガイド溝は、前記ロータの側面を複数に等角度分割して、回転対称に配置して、前記内周および外周ガイド溝を環状に形成することができる。
【００１８】
前記ストッパ溝は、前記ロータの側面に回転対称に複数設けられ、前記突起がこれに嵌合する一次停止状態を複数設けることができる。
【００１９】
この構成によれば、ストッパ溝が分割数に応じて複数設けられるので、リング径の変更箇所も複数になる。
【発明の効果】
【００２０】
本発明にかかる紐状装身具の留め具によれば、紐状装身具の引張開放操作だけで、リング径が変化して、首などへの装着が可能になり、着脱操作が非常に簡単になりとともに、装着する際のリング径も簡単に変更することができる。
【発明を実施するための最良の形態】
【００２１】
以下、本発明の好適な実施の形態について、添付図面に基づいて詳細に説明する。図１〜図９は、本発明にかかる紐状装身具の留め具の一実施例を示している。図１は、留め具の外観図であり、留め具は、ネックレスやブレスレットなどの紐状装身具１０をリング状に連結する。
【００２２】
これらの図に示した留め具は、概略平行四辺形状に形成されたケーシング１２内に回転自在に支持されたロータ１４を有している。ケーシング１４は、相互に嵌合される同一形状からなる上，下ケース１２ａ，１２ｂから構成され、長手方向の両端には、紐状装身具１０の挿通が可能なブッシュ１２ｃが装着されている。
【００２３】
ロータ１４は、中心に回転軸の挿通孔が穿設され、所定の厚みを有する円板状に形成され、外周端面に形成された凹部に紐状装身具１０が巻き付けられる。紐状装身具１０の巻き付け状態は、図３に示すように、装身具１０の端部がロータ１４の外周の１８０°離間した接線方向から巻きつけられていて、ロータ１４が図３の矢印Ａ方向に回転すると、紐状装身具１０が巻き取られ、これと逆方向にロータ１４が回転すると、紐状装身具１０が巻き戻される。
【００２４】
ロータ１４の近傍には、紐状装身具１０をガイドする一対の凹状部材１２ｄが下ケース１２ｂの上面に固設されている。ロータ１４は、図２に示すように、上ケース１２ａの内面に対向する一方の側面１４ａにガイド溝１６が設けられており、下ケース１２ｂの内面に対向する側面側には、紐状装身具１０を引張って巻き戻した際に変形して、ロータ１４を紐状装身具１０が巻き取られる方向に付勢するゼンマイバネ１８が装着されている。
【００２５】
また、上ケース１２ａには、案内片２０の一端が支持されている。この案内片２０は、図４にも示すように、弾性変形可能な板バネ状部材から構成され、ピンを介して、上ケースの内面に揺動自在に支持されており、案内片２０の揺動方向は、ガイド溝１６が設けられているロータ１４の側面に沿って揺動移動するようになっている。
【００２６】
案内片２０の他端側（自由端側）には、ガイド溝２０に嵌合する突起２２が固設されている。案内片２０の自由端側は、屈曲変形されていて、突起２２が常時ガイド溝１６側に比較的弱い不勢力で押圧するようになっている。
【００２７】
ガイド溝１６の形成状態の詳細を図４，５に示している。これらの図に示したガイド溝１６は、突起２２の挿入が可能な幅を有していて、内周ガイド溝３０と、外周ガイド溝３２と、ストッパ溝３４とから構成され、図５に示すように、ロータ１４の側面を回転中心Ｏから上下に２分割した範囲内において、回転対称となるように配置されている。
【００２８】
図５において一点鎖線で示した内周ガイド溝３０および二点鎖線で示した外周ガイド溝３２は、ロータ１４の回転中心Ｏに対して、概略同心円状に配置され、回転対称に設けられた部分が連続していて、その結果、これらのガイド溝３０，３２は、周回する環状になっている。
【００２９】
ストッパ溝３４は、図５において点線で示すように、内周および外周ガイド溝３０，３２の中間に位置していて、ロータ１４の回転中心Ｏに対して、概略同心円上に円弧状に形成されていて、回転中心Ｏに対して、１８０°変位した位置に一対設けられている。
【００３０】
各ストッパ溝３４は、紐状装身具１０の巻き取り方向Ａ側に終焉する始端３５が設けられていて、終端は外周ガイド溝３２と合流している。内周ガイド溝３０とストッパ溝３４との間は、第１連絡溝３６で繋がれている。外周ガイド溝３２とストッパ溝３４との間は、第２連絡溝３８で繋がれている。なお、これらの連絡溝３６，３８は、図５では実線で示されている。
【００３１】
なお、本実施例の場合、内周ガイド溝３０は、第１連絡溝３６とストッパ溝３４とを介して、外周ガイド溝３２に繋がれている。内周ガイド溝３０には、第１連絡溝３６がこれと合流する部分の巻取り方向Ａの前方側に、溝深さが浅くなる一対の段部３０ａ（図５には、点々で示している）が設けられ、各段部３０ａと通常部分３０ｃとの間には、ハッチングで示す斜面３０ｂが形成されている。
【００３２】
また、外周ガイド溝３０には、第２連絡溝３８がこれと合流する部分の巻取り方向Ａの後方側に、溝深さが浅くなる一対の段部３２ａ（図５には、点々で示している）が設けられ、各段部３２ａと通常部分３０ｃとの間には、ハッチングで示す斜面３２ｂが形成されている。
【００３３】
さらに、ストッパ溝３４には、第１連絡溝３６がこれと合流する部分の巻取り方向Ａの後方側に、溝深さが浅くなる一対の段部３４ａ（図５には、点々で示している）が設けられ、各段部３４ａと通常部分３４ｃとの間には、ハッチングで示す斜面３０ｂが形成されている。また、ストッパ溝３４の通常部分３４ｃは、第２連絡溝３８の底面よりも若干深く形成されていて、図５に×記して示した部分に高さの低い段差４０が形成されている。
【００３４】
第１連絡溝３６は、ストッパ溝３４と内周ガイド溝３０との間を繋ぐように設けられており、ストッパ溝３４との合流位置が、内周ガイド溝３０との合流位置よりも、ロータ１４の巻取り方向Ａに対して、前方になるようになっていて、この関係は、案内片２０の揺動支点と突起２２が設けられた自由端との関係と同一になっている。
【００３５】
また、第２連絡溝３８は、第１連絡溝３６と同様な関係に形成されている。このような関係に第１および第２連絡溝３６，３８を形成しておくと、後述するロータ１４の回転に伴う突起２２の溝間の移動がスムーズに行われる。
【００３６】
次に、上記留め具を取り付けた紐状装身具１０を装着する方法について、図６〜図９を参照しつつ説明する。紐状装身具１０を装着する際には、リング径の拡大が必要になる。
【００３７】
ここで、いま、図６に示すように、外周ガイド溝３２に案内片２０の突起２２が嵌合しているとすれば、ロータ１４に巻き付けられている紐状装身具１０は、これを引張ると、ロータ１４がゼンマイバネ１８を変形させながら、その付勢力に抗して巻き出し方向Ａに回転して、紐状装身具１０が引き出される。
【００３８】
このときの引き出し可能な量は、外周ガイド溝３２は、段部３２ｂがあるものの周回していて、突起２２の移動を阻害しないので、基本的には、ロータ１４に巻き付けられている全部を引き出すことができ、この結果、引き出された紐所装身具１０は、大きな拡大リング径となるので、例えば、これを頭部に簡単にくぐらせることが可能になる。
【００３９】
そして、この状態で、紐状装身具１０の引張操作を停止して、紐状装身具１０を開放すると、ゼンマイバネ１８の付勢力により、ロータ１４が今度は巻取り方向Ａに回転して、紐状装身具１０は、ロータ１４の外周に巻き取られることになるが、この巻き取りの過程で、突起２２が第２連絡溝３８を介して、ストッパ溝３４に嵌合する。
【００４０】
突起２２がストッパ溝３４に導入するメカニズムは、以下のようになっている。いま、例えば、図６に示すように、突起２２が外周ガイド溝３２の段部３２ａを越えた位置で開放すると、ロータ１４は、ゼンマイバネ１８の付勢力により巻取り方向Ａ側に回転する。
【００４１】
この際に、突起２２は、段部３２ａが設けられているので、これを越えて外周ガイド溝３２側に移動することができないので、第２連絡溝３８を介して、ストッパ溝３４側に案内されたこれに嵌合することになる。ところが、ストッパ溝３４は、巻取り方向Ａに終焉する始端３５があるので、図７に示すように、突起２２がこの位置に到達すると、ロータ１４の回転は、ゼンマイバネ１６による付勢力がまだ残っているにもかかわらず、一次的に停止する。
【００４２】
ロータ１４の回転が停止すると、紐状装身具１０の巻き取りも停止され、その結果、紐状装身具１０のリング径は、ストッパ溝３４の始端３５に到達するまで巻き取られた分だけ拡大リング径よりも小さくなって、縮小リング径となる。
【００４３】
このようなリング径の小径化は、突起２２が図６に示した位置から９０°回転した個所にある斜面３２ｂを乗り越える位置までの間に開放することで同様に行うことができる。
【００４４】
なお、本実施例の場合、ストッパ溝３４は、一対設けられているので、開放位置によってどちらかの溝３４に突起が嵌合することになるが、この選択は、突起２２が外周ガイド溝３２に嵌合している状態で紐状装身具１０を引張って開放した時に、ロータ１４が巻取り方向Ａに回転するので、開放位置の巻取り方向に直近に位置するストッパ溝３４が選択されることになる。
【００４５】
次に、図６に示した状態から、さらに紐状装身具１０を引張ると、突起２２は、ストッパ溝３４に沿って移動するが、この際には、段差３４ｄが設けてあるので、突起２２は、第２連絡溝３８側には移動せず、斜面３４ｂを上がり、段部３４ａを経て、ストッパ溝２４内を移動する。
【００４６】
なお、この場合、ストッパ溝３４は、回転中心Ｏに対して、同心円上に位置しているので、突起２２は段差３４ｄがなくても、これを移動させる力が殆ど加わらないので、第２連絡溝３８側に移動しないが、確実にストッパ溝３４側を移動するように、本実施例では、段差３４ｄを設けている。
【００４７】
このような操作過程で、図８に示すように、突起２２が第１連絡溝３６に到達した段階で紐状装身具１０の引っ張り操作を停止して、これを開放すると、突起２２は、ゼンマイバネ１８の付勢力により、内周ガイド溝３０に入り、この内周ガイド溝３２が周回形勢さているので、ゼンマイバネ１８の付勢力が消失するまで巻き取られ、その結果、紐状装身具１０は、初期リング径となる。
【００４８】
この場合、内周ガイド溝３０には、段部３０ａが二箇所あるが、図７に示した状態で、ロータ１４が巻取り方向Ａに回転する場合には、回転の障害とならず、その結果、紐状装身具１０は、ゼンマイバネ１８の付勢力が消失するまで巻き取られることになる。
【００４９】
一方、第１連絡溝３６とストッパ溝３４との合流部を通過して、外周ガイド溝３２を経てさらに引張り、段部３４ａを越えた位置で開放すると、図６の場合と同様に、突起２２は、１８０°変位した位置に設けられているストッパ溝３４内に入り、その始端３５で巻取り操作が一次的に停止され、この状態では、図６に示した場合よりもリング径がより小径になる。
【００５０】
さて、以上のように構成した紐状装身具１０の留め具によれば、外周ガイド溝３２に突起２２が嵌合している状態では、ロータ１４に巻き付けられている紐状装身具１０は、引張ることにより、バネ１８の付勢力に抗して、巻き出されて拡大リング径となので、ネックレスであれば、頭部への挿通が、また、ブレスレットであれば、手部の挿通が可能になる。
【００５１】
また、その後、引張状態を解除すると、バネ１８の付勢力より、ロータ１４が巻取り方向に回転し、この回転に伴って、突起２２がストッパ溝３４に嵌合して、巻取りが一次的に停止されて、紐状装身具１０が巻き取られた分だけ拡大リング径よりも小さい縮小リング径となるので、リング径の調整が可能になる。
【００５２】
さらに、この後に紐状装身具１０を所定量引張って開放すると、突起２２が内周ガイド溝３０に嵌合することで、バネ１８の付勢力が消失するまで、ロータ１４が巻取り方向に回転して、紐状装身具１０が初期リング径となるので、これにより装身具の装着が完了する。
【００５３】
そして、取外す際には、例えば、突起２２が内周リング溝３０に嵌合しているとすれば、この状態で、紐状装身具１０を引張ると、ロータ１４が巻き出しないしは引張方向に回転して、突起２２が段部３０に当接すると、段部３０には、段差があるので、これを越えて内周ガイド溝３０側に移動することが阻止され、段部３０の前端に設けられている第１連絡溝３６側に移動し、その後は、ストッバ溝３４を介して、外周ガイド溝３２内に嵌合することになり、図６に示した状態になる。そして、さらに紐状装身具１０を引張って、拡大リング径とすれば、例えば、頭部からこれを抜き出すことで、簡単に取外せる。
【００５４】
以上のことから本実施例の留め具では、紐状装身具１０の引張開放操作だけで、リング径が変化して、首や手などへの装着が可能になり、しかも、紐状装身具１０の引張開放操作だけで、リング径も変化させることもできる。
【００５５】
なお、上記実施例では、ガイド溝１６は、ロータ１４の側面を２個に等角度分割して、回転対称に配置して、内周および外周ガイド溝３０，３２を環状に形成下場合を例示したが、本発明の実施はこれに限定されるものではなく、分割数は、２以上に設定することができ、分割数を増やせば、変更可能なリング径の数も分割数に対応して増加する。
【００５６】
また、上記実施例では、本発明の留め具をネックレスなどの紐状装身具１０の連結用に適用した場合を例示したが、本発明の実施は、これに限ることはなく、例えば、携帯用電子機器を首に吊下げる場合の吊下げ用紐の留め具として使用することもできるし、さらには、上記実施例で示したロータ１４の収納ケース１２に装飾を施し、ケース１２を、例えば、ペンダントやブローチなどの装身具として用いる際に、これらの装身具の吊り下げ用紐の留め具として採用することもできる。
【産業上の利用可能性】
【００５７】
以上、実施例で詳細に説明したように、本発明にかかる紐状装身具の留め具によれば、引っ張り開放操作だけで装着することができるので、この種の分野において有効に活用することができる。
【図面の簡単な説明】
【００５８】
【図１】本発明にかかる紐状装身具の留め具の平面図である。
【図２】図１の断面図である。
【図３】図１の上ケースを除去した内部の平面図である。
【図４】図１の留め具のロータの斜視図である。
【図５】図４に示したロータの溝形状の詳細図である。
【図６】本発明の留め具で紐状装身具を装着する際に、図４に示したロータ行われる紐状装身具の巻き取り、巻き出し状態の説明図である。
【図７】本発明の留め具で紐状装身具を装着する際に、図４に示したロータ行われる紐状装身具の巻き取り、巻き出し状態の説明図である。
【図８】本発明の留め具で紐状装身具を装着する際に、図４に示したロータ行われる紐状装身具の巻き取り、巻き出し状態の説明図である。
【図９】従来のネックレスの留め具を示す斜視図である。
【図１０】図９に示した留め具をリング状にする際の説明図である。
【図１１】図１０に示したリング形態から取外す状態の説明図である。
【符号の説明】
【００５９】
１０      紐状装身具
１２      ケーシング
１４      ロータ
１６      ガイド溝
１８      ゼンマイバネ
２０      案内片
２２      突起
３０      内周ガイド溝
３２      外周ガイド溝
３４      ストッパ溝
３６      第１連絡溝
３８      第２連絡溝
【図１】
2008093006.tif 000003
【図２】
2008093006.tif 000004
【図３】
2008093006.tif 000005
【図４】
2008093006.tif 000006
【図５】
2008093006.tif 000007
【図６】
2008093006.tif 000008
【図７】
2008093006.tif 000009
【図８】
2008093006.tif 000010
【図９】
2008093006.tif 000011
【図１０】
2008093006.tif 000012
【図１１】
2008093006.tif 000013